(57)【要約】【課題】凍結速度の短縮と効率の良い加熱を実現する冷却促進部材を有する冷蔵庫を提供する。【解決手段】断熱区画された貯蔵室である冷凍室３を有する冷蔵庫本体２と、冷凍室３内へ食品を出し入れするための扉２３、２４と、食品を収納するための上段容器２７と、下段容器２８と、上段容器２７内に載置された蓄冷機能を有する冷却促進部材２９と、マイクロ波を吸収して発熱する金属を蒸着させた食品載置部２９ｂと、冷却促進部材２９と冷凍室３とを冷却するための複数の冷却手段を備えたことにより、特に厚みのある表面積の大きな食品を投入した場合でも冷却促進部材が持つ熱容量によって素早く凍結することができ、かつレンジでも効率よく加熱ができる。【選択図】図１
2012026706.tif 000002
【特許請求の範囲】
【請求項１】
断熱区画された貯蔵室を有する冷蔵庫本体と、前記貯蔵室を冷却するための冷却手段と、前記貯蔵室に備えられた扉と、前記貯蔵室に備えられた食品を収納するための容器と、前記容器に配設された蓄冷機能を有する冷却促進部材と、前記冷却促進部材と前記貯蔵室とを備え、前記冷却促進部材は上面にマイクロ波を吸収する材料を蒸着させている冷蔵庫。
【請求項２】
前記記載の冷却促進部材は食品を載置する食品載置部を有し、前記食品載置部の端部には前記食品載置部よりも上下方向において上方側に凸部が設けられた請求項１に記載の冷蔵庫。
【請求項３】
前記記載の冷却促進部材がセラミックである請求項１または２に記載の冷蔵庫。
【請求項４】
前記記載のマイクロ波を吸収する材料がフェライトである請求項１から３のいずれか一項に記載の冷蔵庫。
【請求項５】
前記記載のマイクロ波を吸収する材料が酸化スズである請求項１から４のいずれか一項に記載の冷蔵庫。
【発明の詳細な説明】
【技術分野】
【０００１】
本発明は、食品を効率良く冷却または加熱することのできる蓄冷機能を有する冷蔵庫に関するものである。
【背景技術】
【０００２】
近年の冷蔵庫において、冷凍保存食品の凍結スピード向上を目的とした発明として、冷凍室の容器の底部に金属トレイを設けると共に、金属トレイ下方の容器底部に設けられたダクトに冷却風を通風させることで冷凍時間の短縮を図った例がある（例えば、特許文献１参照）。
【０００３】
図４は、特許文献１に記載された従来の冷蔵庫の一実施例を示す要部側面断面図である。図４に示すように、断熱箱体１で構成された冷蔵庫本体２の貯蔵室の一部である冷凍室３は、上に上部断熱仕切体４、下に下部断熱仕切体５によって温度帯の異なる冷蔵室６と野菜室７と区画されている。また、冷凍室３の開口部左右間にはその開口部を上下に区分する仕切体８が設けられている。
【０００４】
冷凍室３の背面側に設けられた冷気生成室９は冷気を生成する蒸発器１０と、冷気を冷蔵室６、冷凍室３、野菜室７に供給、循環させる送風機１１が配置され、蒸発器１０の下部空間には除霜時にオンされる除霜用ヒータ１２が配置されている。
【０００５】
扉１３と下部扉１４は何れも引き出し式の冷凍室３の扉で、その後方には枠体１５、１６にそれぞれ支持された容器１７と下部容器１８が一体に設けられ、また、冷凍室８の後方には蒸発器１０により生成された冷気を各室に分配する冷気分配室１９が設けられ、その前面には複数の冷気供給口が形成されている。
【０００６】
また、冷凍室３内の容器１７と下部容器１８内の底部にはトレイ２０が設けられており、各々の容器１７と下部容器１８には、その底部前後間に冷気通路１７ａ、１８ａが形成されている。
【０００７】
さらに、冷気分配室１９の前面には容器１７、下部容器１８の上部開口面に向けた冷気供給口１９ａ、１９ｂ、および容器１７の冷気通路１７ａに対応する冷気供給口１９ｃに加え、下部容器１８の冷気通路１８ａに対応する冷気供給口１９ｄが設けられている。したがって、容器１７だけでなく、下部容器１８にもその冷気通路１８ａに冷気分配室１９から冷気を直接流通させることができ、食品の冷却スピードを上げることができる。
【０００８】
このようにして、容器１７と下部容器１８内のトレイ２０が速やかに冷却されるとともに、それぞれの容器の上部開口面にも冷気が供給されることにより、容器内の食品が上下から冷却されることになり、食品を短時間に凍結することが可能となる。
【先行技術文献】
【特許文献】
【０００９】
【特許文献１】特開２０００−３０４４３５号公報
【発明の概要】
【発明が解決しようとする課題】
【００１０】
しかしながら、上記従来の構成では、トレイ２０が金属であるため、食品を載せたトレイ２０をそのまま電子レンジに入れて温めや解凍することができず、使い勝手が悪い。こ
のように、従来の構成では、投入した食品の急冷と電子レンジでの解凍を両立できず、使い勝手が悪いといった課題があった。
【００１１】
本発明は、上記従来の課題を解決するもので、収納食品の保存品質を確保する急速冷凍と、急速冷凍された食品を電子レンジでも効率良く温めや解凍を両立する冷蔵庫を提供することを目的とする。
【課題を解決するための手段】
【００１２】
上記従来の課題を解決するために、本発明の冷蔵庫は、断熱区画された貯蔵室を有する冷蔵庫本体と、前記貯蔵室を冷却するための冷却手段と、前記貯蔵室に備えられた扉と、前記貯蔵室に備えられた食品を収納するための容器と、前記容器に配設された蓄冷機能を有する冷却促進部材と、前記冷却促進部材と前記貯蔵室とを備え、前記冷却促進部材は上面にマイクロ波を吸収する材料を蒸着させているものである。
【００１３】
これによって、温度の高い食品を投入した場合でも冷却促進部材が持つ熱容量によって容器内の昇温を最小限に押さえることができ、かつ、直接接触する部分の昇温が少ないことから、冷却促進部材により収納食品を直接的に冷却するスピード向上効果を維持することができる。また、冷凍された食品をトレイに載せたまま電子レンジで温めや解凍することができ、マイクロ波を吸収する材料が発熱することで下からの温めと上からのマイクロ波による温めにより上下からムラなく均一に解凍や温めを行うことができる。
【発明の効果】
【００１４】
本発明は、食品の保存品質を確保する急速冷凍と、急速冷凍された食品を電子レンジでも効率良く温めや解凍を両立する冷蔵庫を提供することができる。
【図面の簡単な説明】
【００１５】
【図１】本発明の実施の形態１における冷蔵庫の要部側面断面図
【図２】本発明の実施の形態１における蓄冷材の斜視図
【図３】本発明の実施の形態２における電子レンジの側面断面図
【図４】従来の冷蔵庫の一実施例を示す要部側面断面図
【発明を実施するための形態】
【００１６】
請求項１に記載の発明は、本発明の冷蔵庫は、断熱区画された貯蔵室を有する冷蔵庫本体と、前記貯蔵室を冷却するための冷却手段と、前記貯蔵室に備えられた扉と、前記貯蔵室に備えられた食品を収納するための容器と、前記容器に配設された蓄冷機能を有する冷却促進部材と、前記冷却促進部材と前記貯蔵室とを備え、前記冷却促進部材は上面にマイクロ波を吸収する材料を蒸着させているもので、前記冷却促進部材は上面にマイクロ波を吸収して発熱する材料を蒸着させたものであり、温度の高い食品を投入した場合でも蓄冷機能を有する冷却促進部材が持つ熱容量によって容器内と冷却促進部材の昇温を最小限に抑えると共に、昇温した冷却促進部材を迅速に冷却できることにより収納
食品の凍結速度短縮効果を長時間持続することができ、マイクロ波を吸収する材料が発熱することで下からの温めと上からのマイクロ波による温めにより上下からムラなく均一に解凍や温めを行うことができる。
【００１７】
請求項２に記載の発明は請求項１に記載の発明において、冷却促進部材は食品を載置する食品載置部を有し、前記食品載置部の端部には、前記食品載置部よりも上下方向において上方側に凸部が設けられており、食品を設置した後扉を閉めた反動や、食品を載せたままトレイを外して移動させるときのトレイの傾き等による食品の落下を防ぐことができ、効率良く冷凍または移動することができる。
【００１８】
請求項３に記載の発明は、請求項１または２に記載の発明において、冷却促進部材がセラミックであることで蓄冷機能を有するため熱い食品を投入した際もセラミックの持つ熱容量によって容器内と冷却促進部材の昇温を最小限に抑えることができると共に、セラミックトレイに食品を載せたまま電子レンジで加熱することができる。
【００１９】
請求項４に記載の発明は、請求項１から３のいずれか一項に記載の発明において、マイクロ波を吸収して発熱する材料がフェライトであることで、電子レンジで加熱をする際、フェライトと接する食品の底面は誘電加熱により温まり、フェライトと接しない食品の上面はマイクロ波により温まり、上下から効率良く温めることができる。また、フェライトは金属であるがセラミックトレイの上に蒸着させていることで、電子レンジに入れてもフェライトは浮いた状態にあるためスパークを回避できる。また、金属であるため、熱伝導効率が良く、食品の凍結スピードの向上を図る事ができる。
【００２０】
請求項５に記載の発明は、請求項１から４のいずれか一項に記載の発明において、マイクロ波を吸収して発熱する材料が酸化スズであることで電子レンジで加熱をする際、酸化スズと接する食品の底面は誘電加熱により温まり、酸化スズと接しない食品の上面はマイクロ波により温まり、上下から効率良く温めることができる。また、酸化スズは金属であるがセラミックトレイの上に蒸着させていることで、電子レンジに入れても酸化スズは浮いた状態にあるためスパークを回避できる。また、金属であるため、熱伝導効率が良く、食品の凍結スピードの向上を図る事ができる。
【００２１】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２２】
（実施の形態１）
図１は、本発明の実施の形態１における冷蔵庫の要部側面断面図であり、図２は本発明の実施の形態１における蓄冷材の斜視図である。
【００２３】
図１において、断熱箱体１で構成された冷蔵庫本体２の貯蔵室の一部である冷凍室３は、上方の上部断熱仕切体４と下方の下部断熱仕切体５によって温度帯の異なる冷蔵室６と野菜室７とから区画されている。また、冷凍室３の前面開口部には開口部の左右端をつなぐ仕切体８が設けられている。
【００２４】
冷凍室３の背面に設けられた冷気生成室９には、冷気を生成する蒸発器１０と、冷気を冷蔵室６、冷凍室３、野菜室７にそれぞれ供給、循環させる送風機１１が配置され、蒸発器１０の下部空間には除霜時に通電される除霜用ヒータ１２が配置されている。また、冷凍室３の背面には冷気分配室１９が設けられており、冷気分配室１９に連続して冷気吐出口２１ａ及び冷気吐出口２１ｂ及び冷気吐出口２２が設けられている。この冷気吐出口２１ａ及び冷気吐出口２１ｂ及び冷気吐出口２２には蒸発器１０によって低温に冷却された冷気が直接供給されており、さらに冷気吐出口２１ａもしくは冷気吐出口２１ｂもしくは冷気吐出口２２のいずれかが蒸発器１０から最短経路を通って供給される冷気の吹き出し口となっている。
【００２５】
冷凍室３の前面開口部には、扉２３と扉２４が設けられており、冷凍室３からの冷気の流出が無いように冷凍室３を閉塞している。扉２３と扉２４はいずれも引き出し式の扉であり、食品を出し入れする場合は冷蔵庫手前側、すなわち図１での左側方向に引き出して使用される。また、扉２３及び扉２４の後方にはそれぞれ枠体２５、２６が設けられている。この枠体２５、２６上にはそれぞれ上段容器２７と下段容器２８が載置されている。
【００２６】
上段容器２７の底面には冷却促進部材２９が載置されている。冷却促進部材２９は蓄冷効果があり、凍結状態のとき濡れた手で触れても手と冷却促進部材２９が接着することなく安全に持つことができ、かつマイクロ波を照射しても安全な素材、例えばセラミックで形成されている。
【００２７】
食品載置部２９ｂは熱伝導性が良い金属で、かつマイクロ波を吸収して発熱する素材、例えばフェライトが蒸着されており、食品載置部２９ｂに食品を載せ凍結する場合は熱伝導が良いため効率良く凍結ができる。さらに食品載置部２９ｂに食品を載せ、電子レンジに移動し、マイクロ波を用いて食品を加熱する場合はフェライトがマイクロ波を吸収し発熱するため、フェライトに接する食品の面は温められ、かつマイクロ波により食品の上面も温められるため上下から効率良く加熱ができる。なお、マイクロ波を吸収して発熱する素材は酸化スズでもよく、この限りではない。
【００２８】
凸部２９ｃは食品載置部２９ｂを囲うように４辺すべてに設置されており、本実施の形態では食品保持手段は食品載置部２９ｂの外周すべてに渡って連続的に備えられているので、食品載置部の摩擦係数が低く食品が滑り易い構成であった場合に、仮に食品が引き出し扉の開閉に伴って多方向へ滑った場合でも食品載置部の４辺すべてに食品保持手段が形成されているので、食品自体の滑りによる移動が抑制でき、扉の開閉などによる反動があっても投入食品の熱は効率的に蓄冷材で吸熱され、昇温抑制と食品投入時の冷却時間短縮が可能である。また、冷却促進部材２９を取り外して移動させる場合は食品が落下するのを防止することができる。
【００２９】
さらに、冷却促進部材２９は着脱がスムーズにできるように、冷却促進部材２９を着脱する際に使用者の指が入るように冷却促進部材２９に備えられた凹部で形成された冷却促進部材着脱補助部７２および凸部で形成された冷却促進部材着脱保持部７３を備えており、この着脱保持部７３は容器側に備えられた凹部と係合することで蓄冷材の着脱と位置決めを確実に行うことが可能となり、例えば、使用者が冷却促進部材を着脱した場合でも、この位置決めによって素早く着脱の動作を行うことができ、扉２３の開閉時間が短縮され、庫内の温度上昇を低減することができる。
【００３０】
また、冷凍室３の背面下部には冷気を吸い込み、蒸発器１０まで導くための冷気吸入口３０が設けられている。
【００３１】
また、冷却促進部材２９には食品３１が使用者の手によって載置、保存される。
【００３２】
以上のように構成された冷蔵庫について、以下その動作、作用を説明する。
【００３３】
まず、電源投入後、図示しない冷凍サイクルの運転が開始され、蒸発器１０に冷媒が流通して冷気が生成される。生成された冷気は送風機１１によって冷気分配室１９に送られ、冷気吐出口２１ａと冷気吐出口２１ｂと冷気吐出口２２から分配されて冷凍室３内に吐出される。
【００３４】
冷凍室内３に吐出された冷気により冷凍室３が所定の温度まで冷却され、同時に冷却促進部材２９も冷却される。
【００３５】
冷凍室３内を冷却した冷気は冷気吸入口３０から冷気生成室９に入り、蒸発器１０によって再び冷却されることとなる。
【００３６】
使用者が食品３１を収納しようとする場合には、扉２３を冷蔵庫手前方向、図１における左側方向に引き出す動作を行う。この時、枠体２５は扉２３に固定されているため、扉
２３の引き出し動作に伴って、枠体２５と枠体２５に載置されている上段容器２７と、上段容器２７の底面に載置されている冷却促進部材２９が同時に引き出される。使用者は食品３１を冷却促進部材２９上に置き扉２３を閉める動作を行う。扉２３の開放と、冷凍室３より高温の食品３１の投入により冷凍室３が昇温すると庫内温度検知手段（図示せず）により庫内昇温を検知し、制御手段（図示せず）により冷凍サイクルの運転を調整し、冷凍室３を再び所定温度まで冷却する動作を行う。
【００３７】
冷気吐出口２１ａと冷気吐出口２１ｂは上段容器２７の上方に配置されており、冷気吐出口２１ａからは上段容器２７の上面開口部に向けて冷気が吐出され、冷気吐出口２１ｂからは上段容器２７の上面開口部と食品に向けて冷気が吐出される。冷却促進部材２９の上に収納された食品３１は、吐出口２１ａと吐出口２１ｂから吐出される冷気による熱伝達によって冷却されると同時に、冷却促進部材２９や食品載置部２９ｂ自身からも熱伝導によって直接的に熱を奪われることになる。すなわち、熱伝導と熱伝達の両方を組み合わせて冷却することで、冷却促進部材２９が無く上段容器２７のみの場合に比べて、省エネルギーでかつより速く食品３１を凍結させることができる。また、食品載置部２９ｂは金属でできているため熱伝導率が良く、冷却促進部材２９のみの場合に比べて、省エネルギーでかつより速く食品３１を凍結させることができる。
【００３８】
さらに、冷気吐出口２２は食品３１を直接冷却した冷却促進部材２９を下方より冷却することができるので、冷却手段である冷気が食品載置部２９ｂよりも上方に位置している冷気吐出口２１ａと冷気吐出口２１ｂと食品載置部２９ｂよりも下方に位置している冷気吐出口２２からの複数の吹き出し口から放出される低温冷気によって冷却されるので、冷却促進部材２９上に比較的温度が高い食品が載置されることによって、冷却促進部材２９の温度が上昇した場合であっても、迅速に食品を急速冷却する能力を復帰させると共に、冷却能力を持続させることができる。
【００３９】
さらに、本実施の形態ではこの冷気吐出口２１ａ及び冷気吐出口２１ｂ及び冷気吐出口２２には蒸発器１０によって低温に冷却された冷気が直接供給されており、さらに冷気吐出口２２が蒸発器１０から最短風路を通って供給される冷気の吹き出し口で、冷気吐出口２１ａが蒸発器１０からの距離が２番目に近い風路の吹出し口で、冷気吐出口２１ｂが蒸発器１０からの距離が３番目に近い風路の吹き出し口となっているので、冷蔵庫の低温冷気の中でも最も低温の冷気が冷気吐出口２１ａ及び冷気吐出口２１ｂ及び冷気吐出口２２に供給されていることとなり、より熱損失を低減した低温の冷気で冷却手段を形成しているので、さらに急速冷却する能力を向上させている。
【００４０】
上記のように、本実施の形態では冷却手段として冷気吐出口２１ａからの低温冷気と、冷気吐出口２１ｂからの低温冷気と、冷気吐出口２２からの低温冷気との複数の冷却手段によって冷却が行われている上に、冷却促進部材２９と食品載置部２９ｂによってさらに迅速な冷却が行われているものである。
【００４１】
また、このような冷凍温度帯による急速冷却が行われる冷凍室３の上下共に貯蔵室が位置していることで、上下のいずれかが断熱材を介して外気と接しているような冷凍室３が最上部もしくは最下部に位置するような貯蔵室構成の冷蔵庫と比較して、急速冷却による冷気が断熱壁を介して熱伝導によって漏れた場合でも、冷却に急速冷却による冷気が冷蔵室６もしくは野菜室７といった貯蔵室の冷却に利用されることになるので、冷蔵庫全体としても省エネルギーを実現することが可能となる。
【００４２】
また、食品３１は既に上段容器２７内に収納、凍結保存されており、高温の食品３１を追加で上段容器２７内に投入する場合を考えると、冷却促進部材２９の直接冷却作用により冷却促進部材２９が無い場合に比して、既に収納、凍結保存されている食品３１に対す
る熱的影響を抑え、昇温を抑制することが可能となる。
【００４３】
食品載置部２９ｂはフェライトのような金属が蒸着されており、熱伝導効率を向上できるので、冷却促進部材２９のみよりも食品３１の凍結スピード向上が図ることができる。
【００４４】
このように、本実施の形態においては、冷却促進部材２９と食品載値部２９ｂによって、食品の冷却スピードを向上させ、さらに冷却促進部材２９を上下方向の両方から蒸発器１０から直接供給される低温冷気で冷却することで、上下から均一にかつ急速に凍結することが可能となった。
【００４５】
以上のように、本実施の形態においては、断熱区画された貯蔵室を有する冷蔵庫本体と、前記貯蔵室内へ食品を出し入れするための扉と、前記食品を収納するための容器と、前記容器のうち少なくとも１つの容器に取り付けられた蓄冷機能を有する冷却促進部材と、前記冷却促進部材と前記貯蔵室とを冷却するための冷却手段を備えたもので、前記冷却促進部材は上面にマイクロ波を吸収して発熱する材料を蒸着させたことにより、食品を投入した場合でも冷却促進部材が持つ熱容量によって容器内の昇温を最小限に押さえることができ、かつ、直接接触する部分の昇温が少ないことから、冷却促進部材により収納食品を直接的に冷却するスピード向上効果を維持することができる。また、食品投入により、冷却促進部材が昇温した場合でも、複数の冷却手段を有することにより再凍結時間を短縮することができる。
【００４６】
（実施の形態２）
図３は本発明の実施の形態２における電子レンジの断面図である。図３の電子レンジは筐体１０１と加熱室１０３とマグネトロン１０４とドア１０５からなる。冷却促進部材２９は実施の形態１と同じものであるため詳細は省略する。食品載置部２９ｂは熱伝導性が良い金属で、かつマイクロ波を吸収して発熱する素材、例えばフェライトが蒸着されており、食品載置部２９ｂに食品を載せ、マイクロ波を用いて食品を加熱する場合はフェライトがマイクロ波を吸収し発熱するため、フェライトに接する食品の面は温められ、かつマイクロ波により食品の上面も温められるため上下から効率良く加熱ができる。なお、マイクロ波を吸収して発熱する素材は酸化スズでもよく、この限りではない。
【００４７】
食材３１は加熱室１０３中に置かれ、マグネトロン１０４より発生されるマイクロ波によって食材３１は加熱されるものである。
【００４８】
以上のように構成されたレンジについて、以下その動作、作用を説明する。
まず実施の形態１で冷却促進部材の上または凍結された食品を冷却促進部材の上に載せ、レンジ加熱室１０３に移動する。食品が複数ある場合などは、冷却促進部材２９の上に載せて移動できるため、複数の食品を容易に移動することができる。また、食品載置部の端部には、食品載置部を囲むように凸部２９ｃが形成されているため、冷却促進部材が多少傾く、もしくは冷蔵庫外へ取り出した場合でも、落下することを防止し使い勝手がよい。
【００４９】
この食品載置部の端部に形成された凸部２９ｃは、少なくとも貯蔵室内の設置した場合において後方側の一辺に形成されていることで引き出しを開けた場合に食品が食品載置部より後方側へ移動することを防止するとともに、貯蔵室内から貯蔵室外へ（後方側から前方側へ）トレイを取り出す場合にも食品の落下を防止することができる。
【００５０】
電源投入後、ドア１０５を開け、食品載置部２９ｂに載せた食品３１を加熱室１０３に入れる。図示しないが、運転ボタンを押すと、マグネトロン１０４からマイクロ波が発生し、食材３１は加熱される。このとき、マグネトロン１０４から発生したマイクロ波は、加熱室１０３全体に広がり、筐体１０１で反射されることによって外部へ漏れないように
なっている。食品載置部２９ｂに蒸着した金属はマグネトロン１０４から発生したマイクロ波を吸収、発熱し、熱伝導により食品３１の接する面から温める。また、マイクロ波の性質として、食品の厚みが大きい場合、電力半減深度が低いためにマイクロ波が食品の中心まで入り込むことができず、表面から加熱することになり解凍時のムラや加熱ムラの原因となる。本実施の形態２のようにマイクロ波と熱伝導の両方の加熱を用いることで、マイクロ波のみの場合よりも効率良く解凍や温めが可能となる。また、肉類や魚類の加熱を行う際、マイクロ波のみの加熱では焦げ目を付けることが難しく、図示しないが、ヒータ加熱の場合も天板に接する面は焦げ目が付き難く、途中で裏返す必要があったが、本実施の形態の食品載置部２９ｂに蒸着した金属はマグネトロン１０４から発生したマイクロ波を吸収、発熱するため、プレートに接する面も焦げ目を容易に付けることができるため、効率良く調理が可能となる。
【００５１】
また、本実施の形態２は冷却促進部材２９を電子レンジ筺体１０１の底面に置いているが、例えば筺体１０１の側面に冷却促進部材２９を支える棚等を付けて、複数枚入れることができるようにしてもよい。これによって、複数の食品を一度に加熱することが可能となり、効率や使い勝手が良い。
【００５２】
マイクロ波で加熱後、冷却促進部２９を再度冷凍室へ入れて使用するが、食品載置部２９ｂが金属であるため、熱伝導が良く素早く冷えるため、冷却促進部２９も熱伝導によってそれがない場合よりも素早く蓄冷することができ、次の凍結も間を置かずに使用することができ、使い勝手がよい。
【００５３】
以上のように本発明の実施の形態２は冷却促進部材２９上の食品載置部２９ｂをマイクロ波を吸収して発熱する金属にしたことで、効率良く食品の温めや加熱、焦げ目をつけることが可能となった。
【産業上の利用可能性】
【００５４】
以上のように、本発明にかかる冷蔵庫は、容器内の昇温を最小限に抑えながら凍結することができ、かつ効率よく加熱もできるので、家庭用冷蔵庫のみならず、業務用冷蔵庫などの用途にも適用できる。
【符号の説明】
【００５５】
２  冷蔵庫本体
３  冷凍室（貯蔵室）
６  冷蔵室（貯蔵室）
７  野菜室（貯蔵室）
２１ａ，２１ｂ，２２  冷気吐出口
２３，２４  扉
２７  上段容器（容器）
２８  下段容器（容器）
２９  冷却促進部材
２９ｂ  食品載置部
３１  食品
【図１】
2012026706.tif 000003
【図２】
2012026706.tif 000004
【図３】
2012026706.tif 000005
【図４】
2012026706.tif 000006